(57)【要約】【課題】側溝の細隙状の導水開口に覆着される通水性を細長い蓋板の装着構造に関し、当該蓋板のより完全で強固な固定を実現すると共に、ブロックに作用する荷重に対抗する補強をも兼ねた装着構造を得る。【解決手段】ブロック１の導水開口３は上部に通水蓋６を嵌合する逆台形断面の蓋受部４を備え、当該蓋受部の直下の位置で導水開口３を横断するように両端部をコンクリートに埋設して装架された複数の差し渡し金具５を備え、前記通水蓋６は蓋面に対して下方に鋭角に屈折した脚部１１を備え、当該通水蓋が前記脚部を蓋受部の傾斜した側壁に嵌合した状態で締結具７により差し渡し金具５に固定されている。【選択図】      図１
2004156211.tif 000002
【特許請求の範囲】
【請求項１】
道路の延在方向に細長いスリット状の導水開口（３）を備えた側溝用ブロック（１）で構築され、前記導水開口に多数の通水孔を設けた細幅の通水蓋（６）が装着されている側溝の当該通水蓋の装着構造において、
導水開口（３）は上部に逆台形断面の蓋受部（４）を備え、側溝用ブロック（１）は前記蓋受部の直下の位置で導水開口（３）を横断するように両端部をコンクリートに埋設して装架された複数の差し渡し金具（５）を備え、前記通水蓋（６）は蓋面に対して下方に鋭角に屈折した脚部（１１）を備え、当該通水蓋が前記脚部を蓋受部の傾斜した側壁に嵌合した状態で締結具（７）により差し渡し金具（５）に固定されていることを特徴とする、側溝における細幅通水蓋の装着構造。
【請求項２】
道路の延在方向に細長いスリット状の導水開口（３）を備えた側溝用ブロック（１）において、当該導水開口は上部に逆台形断面の蓋受部（４）を備え、この蓋受部の直下の位置で当該導水開口を横断するように両端部をコンクリートに埋設して装架された複数の差し渡し金具（５）を備えている、側溝用ブロック。
【請求項３】
蓋面に多数の通水孔を備え、長手両辺を下方に屈設した脚部（１１）を備えた側溝用の細幅通水蓋において、前記脚部は蓋面に対して下方に鋭角に屈設されている、側溝用の細幅通水蓋。
【発明の詳細な説明】
【０００１】
【発明の属する技術分野】
この発明は、道路の路側、歩車道境界、中央分離帯などに沿って流水路を備えた側溝用ブロックを配置することによって構築される側溝において、当該側溝の細隙状の導水開口に覆着される通水性を備えた鋼製ないし合成樹脂製の細長い蓋板の装着構造に関するものである。
【０００２】
【従来の技術】
降雨時や融雪時に路上の水を排水するために設けられる側溝は、長手方向に貫通する流水路を備えた側溝用ブロックを道路の路側や中央、歩車道の境界などに沿って埋設することによって構築される。側溝用ブロックは、路上の水を流水路に導くための開口を備えている。Ｕ字溝や勾配可変側溝は、流水路の幅に略等しい広幅の開口を備えており、この開口には、通常、コンクリート蓋ないしグレーチングと呼ばれる通水蓋が覆着される。一方、函渠ブロックや円形水路ブロックなどと呼ばれる側溝用ブロックは、道路の長手方向に細長いスリット状の開口を備えている。Ｕ字溝などに覆着するコンクリート蓋にも、スリット状の開口を設けたものが提供されている。
【０００３】
側溝用ブロックに設けられる導水用の開口には、適宜グレーチングと呼ばれる目皿状ないし格子状の通水性を備えた蓋材が覆着される。前述した函渠ブロックなどの細幅の開口に覆着されるグレーチングは、蓋面に多数の通水孔を穿設した帯板状の鋼板の長手両辺を下方に屈曲して脚部を形成した断面コの字形のものが用いられている。
【０００４】
図６は、この種の細幅グレーチング（細幅通水蓋）を装着した従来の側溝用ブロックの導水開口部分を示した断面図である。図において、３１はプレキャストコンクリート製の側溝用ブロックであり、断面中央部に長手方向に貫通する流水路２が形成されている。路面の水を流水路３２に導く導水開口３３は、ブロック３１の上面に図の紙面直角方向に細長い形状で開口しており、その導水開口の上部に断面矩形の蓋受部３４が形成されている。蓋受部３４には、帯状の鋼板の長手両辺を下方に屈曲して断面コの字形とし、かつその蓋面に多数の通水孔４２を穿設した細幅の通水蓋（細幅グレーチング）３６が嵌挿されている。このような通水蓋３６を装着することにより、導水開口３３に物が落下したり自転車の車輪などが嵌まり込んだりするのを防止することができる。
【０００５】
従来、この種の側溝における細幅グレーチングは、側溝用ブロックの導水開口に形成した矩形断面の蓋受部３４に細幅グレーチング３６のコ字形の脚部４１を嵌合しただけの構造であった。ところがそのような構造では、グレーチング上を車両が通行したときにタイヤの駆動力によって細幅グレーチング３６が図８に示すように斜めに跳ね上がり、跳ね上がった端部に後続するタイヤ２０が衝突してバーストさせる事故が発生した。そこで、図７に示すように、隣接する細幅グレーチング３６の長手端部相互を連結金具２１で連結して一体化することにより、グレーチングの跳ね上がりを防止することが行われていた。
【０００６】
【発明が解決しようとする課題】
隣接する細幅グレーチングの端部相互を連結する構造では、グレーチングの跳ね上がりを防止することはできるが、強い外力が加わったときに蓋受部内で細幅グレーチングが遊動することを防止することができない。従来の構造では、断面矩形の蓋受部に断面コの字形の細幅グレーチングが嵌合している構造であるため、固定力が弱く、強い外力が加わったときに、細幅グレーチングが遊動することを防止することができない。また、スリット状の導水開口が（連続的ではなく）間欠的に設けられているものでは、１つの通水孔に付き１個の細幅グレーチングが嵌着されるので、隣接するグレーチングの端部相互を連結して跳ね上がりを防止するという構造を採用することができない。
【０００７】
そこでこの発明は、上面にスリット状の導水開口を備えた側溝用ブロックを連結して構築される側溝において、前記導水開口に装着される細幅グレーチングのより完全で強固な固定を実現すると共に、ブロックに作用する荷重に対抗する補強をも兼ねた、細幅グレーチングの装着構造を得ることを課題としている。
【０００８】
【課題を解決するための手段】
上記課題を解決した本願請求項１の発明に係る側溝における細幅通水蓋の装着構造は、道路の延在方向に細長いスリット状の導水開口３を備えた側溝用ブロック１で構築され、前記導水開口に多数の通水孔を設けた細幅の通水蓋６が装着されている側溝の当該通水蓋の装着構造において、導水開口３は上部に逆台形断面の蓋受部４を備え、側溝用ブロック１は前記蓋受部の直下の位置で導水開口３を横断するように両端部をコンクリートに埋設して装架された複数の差し渡し金具５を備え、前記通水蓋６は蓋面に対して下方に鋭角に屈折した脚部１１を備え、当該通水蓋が前記脚部を蓋受部の傾斜した側壁に嵌合した状態で締結具７により差し渡し金具５に固定されているというものである。
【０００９】
上記の装着構造は、請求項２記載の側溝用ブロック、すなわち、道路の延在方向に細長いスリット状の導水開口３を備え、当該導水開口は上部に逆台形断面の蓋受部４を備え、この蓋受部の直下の位置で当該導水開口を横断するように両端部をコンクリートに埋設して装架された複数の差し渡し金具５を備えている側溝用ブロック１に、請求項３の細幅通水蓋、すなわち、蓋面に多数の通水孔を備え、長手両辺を下方に屈設した脚部１１を備えた側溝用の細幅通水蓋において、前記脚部は蓋面に対して下方に鋭角に屈設されている側溝用の細幅通水蓋６を、締結具７により固定することにより得られる。
【００１０】
締結具７はボルトで良いが、バネ性を備えた金属板をＣ形やＪ形に屈曲して締結具とし、この締結具で細幅グレーチング６の通水孔１２と差し渡し金具５とを引っかけ連結する構造や、レバーの死点近傍における倍力作用を利用したトグル式の締結具を用いる構造など、公知の各種の締結構造を採用することができ、差し渡し金具５も、採用する締結構造に応じて丸棒その他の形状にすることができる。
【００１１】
上記のこの発明の構造によれば、細幅グレーチング６が両端部をブロック１のコンクリートに埋め込んで装架された差し渡し金具５に締結して固定され、かつブロックの蓋受部４及び細幅グレーチング６が逆台形断面となっているので、前記締結力により両者が楔作用により隙間なくかつ強固に嵌合して、蓋受部４内での細幅グレーチング６の遊動を確実かつ強固に防止することができる。更に差し渡し金具５が導水開口３の両側のコンクリートに両端を埋設して装着されているため、大型車の走行などによりブロック１に導水開口３を狭める方向又は広げる方向の強大な荷重がかかったときに、差し渡し金具５が突っ張り部材となってコンクリートブロックの変形を防止するため、ブロックの内部応力が軽減され、従って荷重によるブロックの破損の防止やブロック自体の軽量化を図ることが可能になる。
【００１２】
【発明の実施の形態】
以下、図面に示す実施例を参照してこの発明の実施形態を以下に説明する。図１は、細幅グレーチングの装着部分を示す断面図、図２及び３は、この発明の構造で細幅グレーチングを装着した側溝用ブロックの側面図及び平面図、図４及び５は、導水開口の位置が異なる側溝用ブロックについての図２及び図３と同様な図である。図中、１は、側溝用ブロック、２はブロックの流水路、３は流水路２からブロック上面に開口するスリット状の導水開口、４は導水開口に形成された蓋受部、５は両端部をブロックに埋設して導水開口３を横切るように装架された差し渡し金具、６は細幅グレーチング、７は締結具（ボルト）である。
【００１３】
ブロック１は、その長手方向に貫通する流水路２を備えており、この流水路の頂部からブロック上面に連通するブロックの長手方向に細長いスリット状の導水開口３を備えている。ブロック１は、その上面を地表面とした状態で埋設され、地表の雨水は導水開口３を通って流水路２に流入する。導水開口３は、間欠的に設けられる場合もあるが、図の実施例のものは、流水路２の全長に亘って設けられている。
【００１４】
導水開口３の上部には、対向する両壁面を上方が広がる方向の傾斜面とした蓋受部４が形成されている。従って蓋受部４は、その両壁面を上記方向の傾斜面とすることにより、逆台形断面となっている。この蓋受部４の直下の位置に、導水開口３を幅方向に横断する差し渡し金具５がその両端部分をブロックのコンクリートに埋設して装架されている。この差し渡し金具は、ブロック１を成形するときに、成形型内にセットしてコンクリートを流し込むことにより、ブロック１に埋設一体化して設けられたものである。図示実施例の差し渡し金具５には、その中央に上下方向のねじ孔１０が設けられている。この差し渡し金具５は、所定長さに切断した帯鋼材で製作され、図３及び５に示すように、ブロック１の長手方向４箇所に埋設されている。
【００１５】
細幅グレーチング６は、帯状の鋼板の両長手辺部を下方に鋭角に屈曲した脚部１１を備え、その上面（蓋面）には、ブロック長手方向に細長い多数の通水孔１２が穿設されている。蓋面１３に対する脚部１１の屈曲角ａは、ブロックの蓋受部４の側壁の傾斜角と一致させてある。
【００１６】
差し渡し金具５は、細幅グレーチング６に設けた多数の通水孔の内の幅中央に設けたものと対向する位置に配置されており、当該通水孔は、締結ボルト７を挿通可能な幅寸法で設けられている。そして、細幅グレーチング６の上面の差し渡し金具５の配設位置に対向する位置には、締結ボルト７の頭１５を収めるための凹部１６が形成されている。
【００１７】
上記のように形成された細幅グレーチング６は、側溝用ブロック１の蓋受部４に嵌着され、凹部１６を設けた部分において、通水孔に締結ボルト７を挿通し、当該締結ボルトを差し渡し金具のねじ孔１０に螺合することにより、蓋受部４に固定される。
【００１８】
締結ボルト７を締結することにより、細幅グレーチング６は下方に押込まれ、その鋭角に折り曲げた脚部１１と逆台形断面を形成している蓋受部の側壁との楔作用により、細幅グレーチング６は、蓋受部の側壁との間に隙間なくかつ楔作用による強固な嵌合力で導水開口３の上部に固定される。従って、外力により細幅グレーチング６が跳ね上がったり、蓋受部４内で遊動したりする事態は、完全に防止できる。
【００１９】
流水路の上部にスリット状に開口する導水開口３を備えたブロックは、その上面に垂直荷重が加わったとき、当該荷重に起因するモーメントがブロックの側壁を内側に向けて、即ち導水開口３の幅を狭くする方向に変形させるように作用する。この発明の構造では、差し渡し金具５が導水開口３を幅方向に横断するように、その両端部をコンクリートブロックに埋設固着して設けられているので、そのような荷重が加わったときに、当該差し渡し金具がブロックの側壁の変形を防止する突っ張り部材として作用し、ブロックの内部応力を軽減させる。この作用により、大きな荷重が繰り返し加わったときのブロックの疲労破壊を防止できる。
【００２０】
【発明の効果】
以上説明したこの発明の構造により、側溝に装着される細幅グレーチングの跳ね上がりや遊動を確実に防止して、強固な固定を実現することができると共に、側溝用ブロック本体を補強することもできるという効果がある。
【図面の簡単な説明】
【図１】細幅グレーチングの装着構造の一実施例を示す断面図
【図２】この発明の装着構造を採用した側溝用ブロックの側面図
【図３】図２のブロックの平面図
【図４】この発明の装着構造を採用したブロックの第２例を示す側面図
【図５】図４のブロックの平面図
【図６】従来の細幅グレーチングとその装着構造を示す断面図
【図７】従来構造における細幅グレーチングの連結金具を示す模式的な平面図
【図８】車両通行時の細幅グレーチングの跳ね上がりを示す模式的な説明図
【符号の説明】
１  側溝用ブロック
３  導水開口
４  蓋受部
５  差し渡し金具
６  細幅グレーチング
７  締結具
１１  脚部
【図１】
2004156211.tif 000003
【図２】
2004156211.tif 000004
【図３】
2004156211.tif 000005
【図４】
2004156211.tif 000006
【図５】
2004156211.tif 000007
【図６】
2004156211.tif 000008
【図７】
2004156211.tif 000009
【図８】
2004156211.tif 000010